(57)【要約】【課題】ボディユニットに、絞りリングなどのように絞り調節ができる操作部が搭載されていないレンズユニットが装着された場合においても、容易に絞り値の設定を行うことができる一眼レフカメラシステムを提供するものである。【解決手段】第１または第２のレンズユニットのうち、いずれが装着されているかを検出する検出部と、絞り値の選択操作が可能な回転操作部１２３と、絞り部２０６で絞り値を選択操作する際、予め設定されている絞り値データに基づく絞り情報を表示可能な表示部１０５とを備え、検出部が、第２のレンズユニットが装着されたことを検出した際、回転操作部１２３で絞り値の選択操作が可能になるとともに、回転操作部１２３で絞り値の選択操作を行う際、回転操作部１２３の操作に連動させて、表示部１０５に表示される絞り情報を変更させる構成を備える。【選択図】図１
2007041540.tif 000002
【特許請求の範囲】
【請求項１】
被写体側からの光学画像の絞りを調整可能な絞り部と、前記絞り部における絞り量を調節可能な絞りリングを備えた第１のレンズユニットと、
被写体側からの光学画像の絞りを調整可能な絞り部を備えた第２のレンズユニットとを、
選択的に着脱可能であり、
前記第１または第２のレンズユニットとの間でデータ通信が可能な一眼レフカメラボディであって、
前記第１または第２のレンズユニットのうち、いずれが装着されているかを検出する検出部と、
回転操作が可能であるとともに、絞り値の選択操作が可能な回転操作部と、
前記絞り部で絞り値を選択操作する際、予め設定されている絞り値データに基づく絞り情報を表示可能な表示部とを備え、
前記検出部が、前記第２のレンズユニットが装着されたことを検出した際、前記回転操作部で絞り値の選択操作が可能になるとともに、
前記回転操作部で絞り値の選択操作を行う際、前記回転操作部の操作に連動させて、前記表示部に表示される絞り情報を変更させることを特徴とする一眼レフカメラボディ。
【請求項２】
前記絞りリングの操作方向と、前記回転操作部の操作方向とを、略一致させる、
請求項１記載の一眼レフカメラボディ。
【請求項３】
前記回転操作部で、絞り値の選択操作を行う際、
前記表示部に、前記絞りリングの外観を表す画像を表示させ、
前記表示部に表示されている前記画像を、前記回転操作部の操作方向に略一致する方向にスクロールさせる、
請求項１に記載の一眼レフカメラボディ。
【請求項４】
少なくとも被写体の光量やシャッタースピードの設定により絞り値が算出される自動設定モードを、さらに備え、
前記回転操作部は、前記自動設定モードを選択可能である、
請求項１記載の一眼レフカメラボディ。
【請求項５】
請求項１に記載の一眼レフカメラボディに着脱可能であるとともに、一眼レフカメラボディとの間でデータ通信が可能なレンズユニットであって、
入射される光学画像の光軸上に配され、通過光量を制限可能な絞り部と、
前記ボディユニットから送信される絞り値のデータに基づき、前記絞り部を駆動させるよう制御する絞り設定部とを備えるレンズユニット。
【請求項６】
一眼レフカメラボディとレンズユニットとから構成され、前記レンズユニットを前記一眼レフカメラボディに着脱可能な一眼レフカメラシステムであって、
前記一眼レフカメラボディは、
被写体側からの光学画像の絞りを調整可能な絞り部と、前記絞り部における絞り量を調節可能な絞りリングを備えた第１のレンズユニットと、
被写体側からの光学画像の絞りを調整可能な絞り部を備えた第２のレンズユニットとを、
選択的に着脱可能であり、
前記第１または第２のレンズユニットとの間でデータ通信が可能であって、
前記第１または第２のレンズユニットのうち、いずれが装着されているかを検出する検出部と、
回転操作が可能であるとともに、絞り値の選択操作が可能な回転操作部と、
前記絞り部で絞り値を選択操作する際、予め設定されている絞り値データに基づく絞り情報を表示可能な表示部とを備え、
前記検出部が、前記第２のレンズユニットが装着されたことを検出した際、前記回転操作部で絞り値の選択操作が可能になるとともに、
前記回転操作部で絞り値の選択操作を行う際、前記回転操作部の操作に連動させて、前記表示部に表示される絞り情報を変更させるように構成され、
前記レンズユニットは、
前記一眼レフカメラボディに着脱可能であるとともに、前記一眼レフカメラボディとの間でデータ通信が可能であり、
入射される光学画像の光軸上に配され、通過光量を制限可能な絞り部と、
前記ボディユニットから送信される絞り値データに基づき、前記絞り部を駆動させるよう制御する絞り設定部とを備えたことを特徴とする、
一眼レフカメラシステム。
【発明の詳細な説明】
【技術分野】
【０００１】
本発明は、撮影レンズの交換が可能な一眼レフカメラシステムに関し、特に撮影時の絞り値の設定及び制御に関する。
【背景技術】
【０００２】
従来の一眼レフカメラシステムは、撮影絞り値設定を一眼レフカメラボディ（以下、ボディユニットという）に搭載された操作部で行なうシステムや、ボディユニットに対して交換可能なレンズユニットに搭載された操作部で行っているものがあった。
【０００３】
ボディユニットに搭載されている操作部で各種操作を行なうシステムにおいては、レンズユニット内に搭載されている絞り駆動機構における絞り値の設定を、ボディ側の操作部で行なうことになるので、撮影者は操作に慣れるまで戸惑うことがある。一方、レンズユニットに搭載されている操作部で絞り値の設定を行うシステムでは、レンズユニットに絞り駆動機構と操作部とが搭載されているので、上記のように撮影者が戸惑う可能性は低い。
【０００４】
また、従来、レンズユニット側で絞り値の設定を行うことができるシステムに対する互換性を考慮して、ボディユニット側の操作部でも絞り値の設定ができるシステムも存在するが、このようなシステムでは、レンズユニット内の絞り駆動機構と絞り値設定部とが機械的に連動しているため、設定に制約がついたり（例えば、ある特定位置にレンズユニット内の絞り値設定部を設定しないといけない）、操作性が複雑になるといった欠点があった。
【０００５】
特許文献１は、レンズユニット内に絞り値設定部を設け、絞り設定の操作性を向上させる技術が開示されている。
【特許文献１】特開平７−３１１４０５号公報
【発明の開示】
【発明が解決しようとする課題】
【０００６】
しかし、特許文献１に開示された構成では、ボディに、絞り値設定部を内蔵しないレンズユニットを装着した場合、絞り値の設定ができないという問題がある。例えば、絞り優先モードでの撮影ができないという問題がある。
【０００７】
本発明は、ボディユニットに、絞りリングなどのように絞り調節ができる操作部が搭載されていないレンズユニットが装着された場合においても、容易に絞り値の設定を行うことを目的とする。
【課題を解決するための手段】
【０００８】
この目的を達成するために本発明の一眼レフカメラシステムは、被写体側からの光学画像の絞りを調整可能な絞り部と、前記絞り部における絞り量を調節可能な絞りリングを備えた第１のレンズユニットと、被写体側からの光学画像の絞りを調整可能な絞り部を備えた第２のレンズユニットとを、選択的に着脱可能であり、前記第１または第２のレンズユニットとの間でデータ通信が可能な一眼レフカメラボディであって、前記第１または第２のレンズユニットのうち、いずれが装着されているかを検出する検出部と、回転操作が可能であるとともに絞り値の選択操作が可能な回転操作部と、前記絞り部で絞り値を選択操作する際、予め設定されている絞り値データに基づく絞り情報を表示可能な表示部とを備え、前記検出部が、前記第２のレンズユニットが装着されたことを検出した際、前記回転操作部で絞り値の選択操作が可能になるとともに、前記回転操作部で絞り値の選択操作を行う際、前記回転操作部の操作に連動させて、前記表示部に表示される絞り情報を変更させる構成である。
【０００９】
また、本発明のレンズユニットは、一眼レフカメラボディに着脱可能であるとともに、一眼レフカメラボディとの間でデータ通信が可能なレンズユニットであって、入射される光学画像の光軸上に配され、通過光量を制限可能な絞り部と、前記ボディユニットから送信される絞り値のデータに基づき、前記絞り部を駆動させるよう制御する絞り設定部とを備えるものである。
【００１０】
また、本発明の一眼レフカメラシステムは、一眼レフカメラボディとレンズユニットとから構成され、前記レンズユニットを前記一眼レフカメラボディに着脱可能な一眼レフカメラシステムであって、前記一眼レフカメラボディは、被写体側からの光学画像の絞りを調整可能な絞り部と、前記絞り部における絞り量を調節可能な絞りリングを備えた第１のレンズユニットと、被写体側からの光学画像の絞りを調整可能な絞り部を備えた第２のレンズユニットとを、選択的に着脱可能であり、前記第１または第２のレンズユニットとの間でデータ通信が可能であって、前記第１または第２のレンズユニットのうち、いずれが装着されているかを検出する検出部と、回転操作が可能であるとともに、絞り値の選択操作が可能な回転操作部と、前記絞り部で絞り値を選択操作する際、予め設定されている絞り値データに基づく絞り情報を表示可能な表示部とを備え、前記検出部が、前記第２のレンズユニットが装着されたことを検出した際、前記回転操作部で絞り値の選択操作が可能になるとともに、前記回転操作部で絞り値の選択操作を行う際、前記回転操作部の操作に連動させて、前記表示部に表示される絞り情報を変更させるように構成され、前記レンズユニットは、前記一眼レフカメラボディに着脱可能であるとともに、前記一眼レフカメラボディとの間でデータ通信が可能であり、入射される光学画像の光軸上に配され、通過光量を制限可能な絞り部と、前記ボディユニットから送信される絞り値のデータに基づき、前記絞り部を駆動させるよう制御する絞り設定部とを備えたものである。
【発明の効果】
【００１１】
以上のように本発明によれば、絞り調節の操作性を向上させることができる。
【発明を実施するための最良の形態】
【００１２】
本発明の一眼レフカメラボディは、前記絞りリングの操作方向と、前記回転操作部の操作方向とを、略一致させる構成が好ましい。このように構成することにより、絞りリングと回転操作部のどちらを使って操作しても、操作性は損なわれないという効果がある。
【００１３】
また、前記回転操作部で絞り値の選択操作を行う際、前記表示部に前記絞りリングの外観を表す画像を表示させ、前記回転操作部の回転方向と前記表示部に表示される画像のスクロール方向とを、略一致させるよう構成することが好ましい。このように構成することにより、ボディユニット側での絞り値設定の操作性を向上させることができる。
【００１４】
また、少なくとも被写体の光量やシャッタースピードの設定により絞り値が算出される自動設定モードを、さらに備え、前記操作部は、前記自動設定モードを選択可能である構成とすることが好ましい。
【００１５】
（実施の形態１）
〔全体構成及び動作〕
図１は、本発明の実施の形態１にかかる一眼レフカメラシステムの構成を示す図である。一眼レフカメラシステムは、一眼レフカメラボディで構成されたボディユニット１と、ボディユニット１に対して交換可能なレンズユニット２とから構成される。なお、レンズユニットには、少なくとも絞り部２０６、絞り設定部２０７及び絞りリング２０８を備えたレンズユニット（第１のレンズユニット）と、絞り部２０６は備えているが、絞り部２０６を調節可能な構成（絞り設定部２０７や絞りリング２０８）を備えないレンズユニット（第２のレンズユニット）とがある。
【００１６】
図１において、ボディユニット１は、シーケンス処理部１００、信号処理部１０１、メモリーユニット１０２、メカニズム制御部１０３、焦点検出部１０４、表示部１０５、撮像素子１０６、シャッター１０７、サブミラー１０８、メインミラー１０９、焦点板１１０、ペンタプリズム１１１、接眼レンズ１１２、撮像素子駆動部１１３を備える。
【００１７】
シーケンス処理部１００は、カメラユニット１内の動作シーケンスをコントロールする。また、シーケンス制御部１００は、焦点検出部１０４、レンズユニット２におけるレンズユニット制御部２００が接続されている。また、シーケンス制御部１００には、操作系が接続されているが、図１においては省略している。また、シーケンス処理部１００は、レンズユニット２のレンズユニット制御部２００との間でデータ通信が可能であり、レンズユニット制御部２００から各種レンズデータなどの情報を受信したり、レンズユニット制御部２００に対して各種命令を送信したりすることができる。また、シーケンス処理部１００は、レンズユニット制御部２００から送信されるレンズデータに基づき、レンズユニット２に絞りリングなどの絞り調整部材が搭載されているか否かを検出可能な検出部の機能を備えている。なお、本実施の形態では、シーケンス処理部１００はマイクロコンピューターにて構成されている。
【００１８】
信号処理部１０１は、メモリーユニット１０２、メカニズム制御部１０３、表示部１０５、撮像素子駆動部１１３が接続されている。信号処理部１０１は、撮像素子１０６で撮像された画像や、情報媒体から読み出されたデジタル画像の信号処理を行うとともに、メカニズム制御部１０３の動作をコントロールする。また、信号処理部１０１は、撮像素子１０６で撮像された画像をメモリーユニット１０２を介して情報媒体に記録させることができる。また、信号処理部１０１は、撮像された画像や情報媒体から読み出された画像などを、表示部１０５に表示させることができる。なお、本実施の形態では、信号処理部１０１は、デジタル信号処理マイクロコンピューターにて構成されている。
【００１９】
メモリーユニット１０２は、信号処理部１０１から出力される画像データなどの各種情報信号を情報媒体に記録したり、情報媒体に記録されている画像データなどの各種情報信号を読み出したりするものである。情報媒体は、ボディユニット１に内蔵された半導体メモリーやハードディスクドライブで構成されていてもよいし、半導体メモリーカードや光ディスクなどのように着脱可能な媒体で構成されていてもよい。本実施の形態では、ボディユニット１に着脱可能な半導体メモリーカードとした。
【００２０】
メカニズム制御部１０３は、信号処理部１０１からの制御により、サブミラー１０８、メインミラー１０９およびシャッター１０７の動作を制御する。なお、図１において、メカニズム制御部１０３からサブミラー１０８等への制御線の図示は省略している。
【００２１】
焦点検出部１０４は、レンズユニット２を介して入射される光学画像の焦点検出を行う。
【００２２】
表示部１０５は、撮影された画像や、撮影日時などの各種情報を表示させることができる。なお、表示部１０５は、例えば液晶ディスプレイで構成されるが、ＥＬ（electro-luminescent）素子など他のディスプレイで構成されていてもよい。
【００２３】
撮像素子１０６は、入射される光学画像を撮像し、電気信号に変換して出力するものである。なお、撮像素子１０６は、ＣＣＤ（charge coupled device）イメージセンサーやＣＭＯＳ（complementary metal-oxide semiconductor）イメージセンサー等で構成される。
【００２４】
サブミラー１０８は、入射光軸３上においてメインミラー１０９の次段に配され、入射される光学画像を焦点検出部１０４側へ反射している。
【００２５】
メインミラー１０９は、半透過ミラーで構成され、入射光軸３上においてレンズユニット２の次段に配されている。また、メインミラー１０９は、入射される光学画像を焦点板１１０側へ反射するとともに。サブミラー１０８側へ透過させている。
【００２６】
焦点板１１０は、入射光軸３上においてメインミラー１０９の次段に配され、レンズユニット２を介して入射される光学画像を結像する。
【００２７】
ペンタプリズム１１１は、入射光軸３上において焦点板１１０の次段に配され、焦点板１１０に結像された光学画像を内部で反射させ、正立画像を得る。
【００２８】
撮像素子駆動部１１３は、撮像素子１０６を駆動制御するものである。例えば、撮像素子１０６がＣＣＤイメージセンサーで構成されている場合は、撮像素子１０６における露光制御、垂直転送、水平転送、信号増幅を、所定のクロックに基づき動作制御させている。
【００２９】
レンズユニット２は、ボディユニット１に着脱可能である。レンズユニット２は、レンズユニット制御部２００、焦点制御部２０３、絞り制御部２０４、焦点レンズ部２０５、絞り部２０６、絞り設定部２０７、絞りリング２０８、対物レンズ２０９及びレンズ群２１０を備える。
【００３０】
レンズユニット制御部２００は、焦点制御部２０３、絞り制御部２０４、絞り設定部２０７、ボディユニット１のシーケンス処理部１００が接続され、各部をコントロールすることができる。また、レンズユニット制御部２００は、シーケンス処理部１００との間でデータ通信を行うことができ、レンズユニット２側の各種情報等をボディユニット１へ送信したり、ボディユニット１からの動作命令等をレンズユニット２へ送信したりすることができる。また、レンズユニット制御部２００は、メモリーが内蔵され、そのメモリーに各種レンズ情報が記録されている。各種レンズ情報とは、レンズの明るさを示すＦナンバーや、ズーム倍率、設定可能な絞り値などの情報である。なお、本実施の形態では、レンズユニット制御部２００は、マイクロコンピューターにて構成されている。
【００３１】
焦点制御部２０３は、レンズユニット制御部２００からの命令に基づき、焦点レンズ部２０５を光軸方向（矢印ＡまたはＢ方向）へ移動させるよう制御する。焦点レンズ部２０５を光軸方向へ移動させることにより、所望の焦点位置において合焦させることができる。焦点制御部２０３には、モータや、モータを駆動させるドライバーが含まれ、これらによって焦点レンズ部２０５を光軸方向へ移動させることができる。
【００３２】
絞り制御部２０４は、レンズユニット制御部２００からの命令に基づき、絞り部２０６における絞り量を変化させるよう制御する。絞り制御部２０４には、モータや、モータを駆動させるドライバーが含まれ、これらによって絞り部２０６を駆動させることができる。
【００３３】
絞り部２０６は、例えば複数枚の羽根が光軸上に開閉自在に配されて構成され、その複数枚の羽根を開閉させることで、本装置内に入射される光量を増減させている。なお、絞り部２０６は、絞り制御部２０４からの制御により開閉動作し、通過光量を増減させている。
【００３４】
絞り設定部２０７は、絞りリング２０８における設定状態を検知し、設定絞り値をレンズユニット制御部２００へ送信する。
【００３５】
絞りリング２０８は、撮影者において絞り値の設定を行う操作ができるものである。絞りリング２０８は、例えば図９Ａに示すように、レンズユニット２の外周面上に、回転可能に配されている。図９Ａは、絞りリング２０８が搭載されたレンズユニットの外観を示す斜視図である。また、図９Ｂは、絞りリング２０８に表記された絞り値を示す模式図である。図９Ａに示すように、レンズユニット２の円筒面上には、矢印ＫまたはＬ方向へ回転操作可能な絞りリング２０８が配されている。絞りリング２０８は、最小絞り値のＦ２２から開放絞り値のＦ１．４まで設定が可能に構成されている。また、カメラ内で自動で絞り値を設定することができる自動モードのポジション「Ａ」も設定されている。図９Ａに示す構成では、絞りリング２０８を矢印Ｋ方向へ回転させることで絞り値を下げることができ、矢印Ｌ方向へ回転させることで絞り値を上げることができる。
【００３６】
図１において、被写体側から光軸３に沿って入射される光学画像は、レンズユニット２における対物レンズ２０９、焦点レンズ部２０５、レンズ群２１０を通して、メインミラー１０９で上方へ曲げられ、焦点板１１０で結像される。結像された光学画像は、ペンタプリズム１１１の内部を反射し、正立画像が得られる。撮影者は、接眼レンズ１１２を通して、正立画像を視認することができる。
【００３７】
また、被写体側から入射される光学画像の一部は、メインミラー１０９を透過し、サブミラー１０８にて下方へ曲げられ、焦点検出部１０４へ導かれる。焦点検出部１０４は、例えば位相差検出方式によって、光学画像の焦点を検出することができる。
【００３８】
なお、図１において、ボディユニット１は、絞り設定部２０７及び絞りリング２０８を備えるレンズユニットが装着された場合を示しているが、これには限らない。ボディユニット１は、絞り設定部２０７及び絞りリング２０８が搭載されていないレンズユニットも装着可能である。
【００３９】
図２は、実施の形態１にかかる一眼レフカメラシステムの制御系の構成を示すブロック図である。図２において、図１を参照して説明した構成要素については、詳細説明を省略する。
【００４０】
図２において、ボディユニット１は、図１で示した構成の他に、スイッチ１２４ａ及び１２４ｂから構成されるレリーズスイッチ１２４、シャッタースピード設定部１２１、絞り設定部１２２、回転操作部１２３を備える。
【００４１】
レリーズスイッチ１２４は、押釦で構成され、半押し操作と全押し操作とを行うことができる。半押し操作とは、押釦をそのストローク方向へ少しだけ（例えば、押釦の全ストローク量の約半分）押し込む操作のことである。全押し操作とは、押釦を完全に押し込む操作のことである。レリーズスイッチ１２４において、スイッチ１２４ａは半押し操作をした時にオンになり、スイッチ１２４ｂは全押し操作を行った時にオンになる。
【００４２】
シャッタースピード設定部１２１は、撮影時のシャッタースピードを設定する操作が可能であり、例えば図８に示すように構成されている。図８に示すシャッタースピード設定部１２１は、一般的にはボディユニット１の上面、または表示部１０５が配された面に配され、矢印ＣまたはＤ方向へ回転操作することができる。また、シャッタースピード設定部１２１は、例えば上面に、「２」や「２０００」などの数値と、「Ａ」の文字が表記されている。図８に記載されている数値２〜２０００は、ボディユニット１において予め設定されているシャッタースピードの値を示しており、例えば「２」はシャッタースピードが１／２秒であることを表し、「２０００」はシャッタースピードが１／２０００秒であることを表している。また、「Ａ」は、シャッタースピードの設定を、周辺光量や絞り値などに基づき、カメラシステムが自動的に設定するモードを示している。「Ａ」をマーク１２１ａに合わせることで、カメラシステムは撮影環境における光量やズーム倍率に応じて、最適なシャッタースピードを自動的に設定する。撮影者は、シャッタースピード設定部１２１を操作して、所望のシャッタースピードに対応した数値を、ボディユニット１の上面に表記されているマーク１２１ａに合わせることで、所望のシャッタースピードに設定することができる。
【００４３】
絞り設定部１２２は、撮影者によって操作されることにより、ボディユニット１で絞り値設定が可能なモードへ移行させることができるものであり、図５における絞り設定部１２２に相当する。
【００４４】
回転操作部１２３は、回転操作することにより絞り値の設定を行うことができるものである。より具体的には、絞り設定部１２２を操作しながら回転操作部１２３を操作することで、絞り値の設定を行うことができるように構成されている。
【００４５】
なお、以下の説明において、絞りリング２０８または回転操作部１２３で設定可能な絞り値を「設定絞り値」と称する。
【００４６】
以下、動作について説明する。
【００４７】
図１及び図２において、レリーズボタン１２４が半押し操作されることにより、スイッチ１２４ａがオンになり、各マイコンおよび各部にはバッテリー及び電源回路（不図示）から電源電力が供給される。次に、ボディユニット１内のシーケンス処理部１００は、レンズユニット２内のレンズユニット制御部２００より、ボディユニット１とレンズユニット２とを結合しているマウントの電気接点（図示せず）を介して、各種レンズデータを受け取る。受け取った各種レンズデータは、シーケンス制御部１００に内蔵されたメモリーに保存される。このレンズデータには、絞りリング２０８などの絞り値設定部の有無に関する情報、絞りリング２０８で設定可能な設定絞り値の情報、レンズのズーム倍率やＦナンバーの情報などが含まれている。
【００４８】
次に、シーケンス処理部１００は、焦点検出部１０４から焦点ずれ量（以後、Ｄｆ量という）を取得する。次に、シーケンス処理部１００は、取得したＤｆ量分、焦点レンズ部２０５を駆動するようレンズユニット制御部２００に指示する。
【００４９】
レンズユニット制御部２００は、シーケンス制御部１００からの指示に基づいて焦点制御部２０３をコントロールして、焦点レンズ部２０５をＤｆ量分だけ動作させる。このように、焦点検出と、焦点レンズ部２０５の駆動とを繰り返すことで、Ｄｆ量は徐々に小さくなる。Ｄｆ量が、所定量以下になった時に合焦であると判断し、レンズユニット制御部２００は焦点レンズ部２０５の動作を停止させる。
【００５０】
この後、シーケンス処理部１００は、レリーズボタン１２４が全押し操作されてスイッチ１２４ｂがオンにされるのを待つ。シーケンス処理部１００は、スイッチ１２４ｂがオンにされた時、レンズユニット制御部２００に対して所定の絞り値になるよう指示する。この絞り値は、測光センサー（図示せず）で測定された光量情報と、絞り値設定部において設定されている設定絞り値（レンズユニット２に絞りリングなどの絞り値設定部が搭載されていない場合は、ボディユニット１内の絞り値設定部で設定されている絞り値）の情報とに基づいて計算される。算出された絞り値を、以下「目標絞り値」と称する。
【００５１】
レンズユニット制御部２００は、シーケンス処理部１００からの指示により、絞り駆動部２０４をコントロールし、絞り部２０６における絞り値が目標絞り値になるまで絞り込む。
【００５２】
シーケンスマイコン１０１は、レンズユニット制御部２００に対する絞り制御の指示と同時に、信号処理部１０１にレリーズシーケンスの動作指示を行う。
【００５３】
信号処理部１０１は、まず、メカニズム制御部１０３に対してミラーを退避させる指示を行う。メカニズム制御部１０３は、信号処理部１０１からの指示により、サブミラー１０８とメインミラー１０９とを光路外へ退避させる。
【００５４】
サブミラー１０８とメインミラー１０９の退避完了後、信号処理部１０１は、撮像素子駆動部１１３に撮像素子１０６を駆動させる指示をするとともに、メカニズム制御部１０３にシャッター１０７を動作させるよう指示する。メカニズム制御部１０３は、測光センサーで測定された光量情報と、目標絞り値とに基づいて、計算されたシャッタースピードの時間だけシャッター１０７を開放させ、撮像素子１０６を露光させる。
【００５５】
撮像素子１０６の露光完了後、信号処理部１０１は、撮像素子駆動部１１３を制御して、撮像素子１０６から撮像データを読み出す。読み出された撮像データは、信号処理部１０１においてデジタル画像データに変換される。デジタル画像データは、表示部１０５へ出力され、表示部１０５において画像を表示させることができる。また、信号処理部１０１において生成された画像データは、画像圧縮処理などが行われた後、メモリーユニット１０２において情報媒体に書き込むことができる。
【００５６】
また、撮像素子１０６における露光終了後、シーケンス処理部１００は、メカニズム制御部１０３に対して、同時にサブミラー１０８とメインミラー１０９とシャッター１０７とを初期位置に戻すよう指示する。メカニズム制御部１０３は、シーケンス処理部１００からの指示によりサブミラー１０８とメインミラー１０９とシャッター１０７とを初期位置に戻した後、シーケンス処理部１００に露光完了情報を送信する。
【００５７】
また、シーケンス処理部１００は、レンズユニット制御部２００へ、絞り部２０６を開放位置にセットするよう指示する。レンズユニット制御部２００は、シーケンス処理部１００からの指示に基づき、絞り制御部２０４を制御して絞り部２０６を開放位置にセット（リセット処理）させる。リセット処理後、レンズユニット制御部２００は、シーケンス処理部１００にリセット完了情報を送信する。
【００５８】
シーケンス処理部１００は、レンズユニット制御部２００からのリセット完了情報と、信号処理部１０１における露光後の一連の処理の完了情報とを受信した後、レリーズボタン１２４が押されなければ（スイッチ１２４ａ、１２４ｂが共にＯＦＦ）、撮影シーケンスを終了する。
【００５９】
〔交信動作〕
次に、ボディユニット１とレンズユニット２との間の交信動作について説明する。
【００６０】
図３は、ボディユニット１とレンズユニット２との交信動作を示すタイミングチャートである。図３（ａ）はスイッチ１２４ａの動作を示し、図３（ｂ）はスイッチ１２４ｂの動作を示し、図３（ｃ）はボディユニット１の動作を示し、図３（ｄ）はレンズユニット２の動作を示している。なお、図３は、ボディユニット１に、絞り値設定部が搭載されているレンズユニットが装着されている場合の交信動作を示している。また、図３（ｃ）において、各タイミングにおける処理は、符号Ａ１〜Ａ１５で示し、具体的な処理内容は図３（ｅ）に示している。また、図３（ｄ）において、各タイミングにおける処理は符号Ｂ１〜Ｂ８で示し、具体的な処理内容は図３（ｅ）に示している。
【００６１】
図３において、ボディユニット１及びレンズユニット２が動作休止状態にある時（Ａ１、Ｂ１）に、レリーズボタン１２４が半押し操作され、スイッチ１２４ａがオンになると、ボディユニット１及びレンズユニット２は起動処理を行う（Ａ２、Ｂ２）。起動処理中は、レンズユニット２からボディユニット１に、各種レンズ情報が送信される。ここで、レンズユニット２から送信されるレンズ情報は、レンズユニット２に絞り設定部２０７及び絞りリング２０８が搭載されているか否かの情報AV＿Ringと、開放時の絞り値情報Open＿AVと、最小絞り値情報Min＿AVと、レンズユニットに搭載されている絞り値設定部の設定情報AV＿Ring＿Valueである。
【００６２】
次に、ボディユニット１は、合焦動作を行うため、焦点検出を行う（Ａ３）。焦点検出動作によって算出されたＤｆ量に基づいて、レンズユニット２に対して焦点レンズ部２０５を動作させる命令Move＿DFxxを行う。ここで「xx」は、Ｄｆ量を示す変数である。
【００６３】
レンズユニット２は、命令Move＿DFxxを受け、Ｄｆ量分だけ焦点レンズ部２０５の駆動を行う（Ｂ４）。この時、ボディユニット１は、焦点レンズ部２０５の駆動が停止するまで待機している（Ａ５）。焦点レンズ部２０５の駆動が完了すると、レンズユニット２は動作完了情報Move＿Finをボディユニット１に送信する。
【００６４】
ボディユニット１は、完了情報Move＿Finを受信した後、再び焦点検出を行い、Ｄｆ量を算出する（Ａ６）。なお、既にタイミングＡ４で１回目の焦点検出動作を行っているため、タイミングＡ６で得られるＤｆ量は微小である可能性が極めて高い。したがって、タイミングＡ６で実行される焦点検出動作の終了時点で、焦点レンズ部２０５は合焦状態であると判断する。
【００６５】
次に、ボディユニット１は、レリーズボタン１２４が全押し操作され、スイッチ１２４ｂがオンにされるのを待つ（Ａ７）。スイッチ１２４ｂがオンにされると、ボディユニット１は、レンズユニット２に対し、絞り駆動命令Move＿Ap（現在の絞り値と目標絞り値とが一致するように、絞り部２０６を駆動させる命令）を送信する。その後、ボディユニット１は、ミラーアップの処理を行う（Ａ８）。レンズユニット２は、命令Move＿Apを受信した後、絞り部２０６における現在の絞り値が、目標絞り値と一致するように制御を行う（Ｂ５）。なお、絞り部２０６の駆動は、ボディユニット１のミラーアップ時間より、短い時間で完了するよう設計されている。
【００６６】
次に、ボディユニット１は、ミラーアップ動作が完了した後、露光動作を行う（Ａ９）。具体的には、ボディユニット１がシャッター１０７を、シャッタースピードの時間だけ開閉動作させて、撮像素子１０６を露光させている。
【００６７】
露光完了後、ボディユニット１は、レンズユニット２に対して、絞り部２０６を開放状態にするリセット命令AP＿Rstを送信する。レンズユニット２は、リセット命令AP＿Rstを受信し、絞り部２０６を開放状態にする（Ｂ６）。絞り部２０６が開放状態に移行された後、レンズユニット２は、リセット完了情報AP＿RstFinをボディユニット１へ送信する。
【００６８】
また、タイミングＡ９に示す露光終了後、ボディユニット１は、ミラーダウン制御と、シャッター１０７を初期位置へ移動させるシャッターチャージ制御（Ａ１３）を行う。また、ボディユニット１は、処理Ａ１３と同時に、撮像素子１０６から画像データを読み出し（Ａ１０）、読み出された画像データの画像処理を行い（Ａ１１）、表示部１０５に撮影画像を表示させるよう制御する（Ａ１２）。また、メモリーユニット１０２を介して、画像データを情報媒体に保存する（Ａ１２）。
【００６９】
次に、ボディユニット１における一連の処理、及び、レンズユニット２における絞り部２０６のリセット処理が終了後、スイッチ１２４ａ及び１２４ｂがオフになっていれば、ボディユニット１は、レンズユニット２に対し、動作休止命令L＿spdを送信する。レンズユニット２は、動作休止命令L＿spdが入力されると、動作休止処理を行い（Ｂ７）、動作休止状態へ移行される（Ｂ８）。また、ボディユニット１も動作休止処理を行い（Ａ１４）、動作休止状態へ移行される（Ａ１５）。ここで、「動作休止状態」とは、ボディユニット１及びレンズユニット２に含まれるほとんどの回路等への給電が停止され、動作が停止されている状態であるとともに、少なくとも動作休止状態から動作状態へ移行（復帰処理）させる際に、動作させる最低限の回路のみに給電されている状態である。
【００７０】
動作休止状態において、レリーズスイッチ１２４が操作されてスイッチ１２４ａまたは１２４ｂがオンになれば、再び、処理Ａ２及びＢ２から一連のシーケンス処理が行われる。
【００７１】
なお、（表１）及び（表２）は、ボディユニット１とレンズユニット２との間で交信されるデータと、命令及び交信内容の一覧を示している。
【００７２】
【表１】
2007041540.tif 000003
【００７３】
【表２】
2007041540.tif 000004
【００７４】
次に、ボディユニット１とレンズユニット２との間の交信動作の流れについて、さらに詳しく説明する。
【００７５】
図４Ａ〜図４Ｅは、ボディユニット１とレンズユニット２との間の交信の流れを示すフローチャートである。
【００７６】
まず、一眼レフカメラシステムが動作休止状態（ステップＳ１）の時、レリーズボタン１２４が半押し操作されてスイッチ１２４ａがオンにされるのを待つ（ステップＳ２）。スイッチ１２４ａがオンにされると、システム内の各回路等に給電を行い、起動処理を実行させる（ステップＳ３）。
【００７７】
次に、ボディユニット１とレンズユニット２との間で交信を行い、レンズユニット制御部２００に記憶されているレンズ情報が、シーケンス制御部１００へ送信される（ステップＳ４）。
【００７８】
シーケンス制御部１００は、受信したレンズ情報を解析し、レンズユニット２に、絞り設定部２０７及び絞りリング２０８が搭載されているか否かを判定する（ステップＳ５）。
【００７９】
レンズユニット２に、絞り設定部２０７及び絞りリング２０８が搭載されている場合は、絞り設定部２０７から設定絞り値を取得し（ステップＳ６ａ）、目標絞り値に、絞りリング２０８において選択されている設定絞り値をセットする。また、絞りリング２０８がＡ−ポジションを選択している時は、目標絞り値に”ＦＦ”をセットする（ステップＳ６ｂ）。
【００８０】
一方、レンズユニット２に、絞り設定部２０７及び絞りリング２０８が搭載されていない場合は、回転操作部１２３で設定された設定絞り値を取得し（ステップＳ７ａ）、目標絞り値に、回転操作部１２３で設定された設定絞り値をセットする。また、ボディ内の絞り設定がＡ−ポジションの時には、目標絞り値に”ＦＦ”をセットする（ステップＳ７ｂ）。
【００８１】
次に、目標絞り値が”ＦＦ”であるか否かを判断する（ステップＳ８）。
【００８２】
目標絞り値が”ＦＦ”ではない時（すなわち、絞り値が数値で設定されている場合）には、次にシャッタースピード設定部１２１がＡ−ポジションに設定されているか否かを判断する（ステップＳ１０）。
【００８３】
シャッタースピード設定部１２１がＡ−ポジションに設定されている時には、絞り優先モード（Ａモード）とし、制御ＴＶ値に”ＦＦ”をセットする（ステップＳ１３）。制御ＴＶ値とは、実際にシャッター動作を行う際のシャッタースピードを示しており、図８に示すシャッター設定部１２１によって設定することができる。なお、”ＦＦ”は、カメラシステムが自動的に設定するシャッタースピードを示している。
【００８４】
一方、シャッタースピード設定部１２１がＡ−ポジションではない時には、マニュアルモード（Ｍモード）に移行し、制御ＴＶ値に、シャッタースピード設定部１２１で設定されているシャッタースピードをセットする（ステップＳ１４）。
【００８５】
また、ステップＳ８において、目標絞り値が”ＦＦ”の時には、次にシャッタースピード設定部１２１がＡ−ポジションに設定されているか否かを判断する（ステップＳ９）。
【００８６】
シャッタースピード設定部１２１がＡ−ポジションに設定されていれば、プログラムモード（Ｐモード）に移行し、目標絞り値に”ＦＦ”をセットする。また、制御ＴＶ値に”ＦＦ”をセットする。
【００８７】
一方、シャッタースピード設定部がＡ−ポジションに設定されていない時には、シャッタースピード優先モード（Ｓモード）に移行し、目標絞り値に”ＦＦ”をセットするとともに、制御ＴＶ値に、シャッタースピード設定部１２１で設定されているシャッタースピードをセットする。
【００８８】
このように、絞りの設定とシャッタースピードの設定により、Ｐモード、Ｓモード、Ａモード、Ｍモードのいずれかに設定される。
【００８９】
次に、ボディユニット１は、焦点検出部１０４を制御して焦点検出を行う（ステップＳ１５）。
【００９０】
検出されたＤｆ量が、合焦範囲内かどうか判断（ステップＳ１６）し、合焦範囲外の場合、レンズユニット２に命令Move＿DFXXを送信し、Ｄｆ量分だけ、焦点レンズ部２０５を駆動するようレンズユニット２に命令する（ステップＳ１７）。
【００９１】
次に、レンズユニット２からの焦点レンズの駆動完了情報Move＿Finを待ち、レンズユニット２から駆動完了情報Move＿Finが送信されれば、ステップＳ１５へ戻り、焦点検出動作を繰り返す（ステップＳ１８）。
【００９２】
そのうちＤｆ量が微小となり、合焦範囲内に入ると（ステップＳ１６におけるＹ結果）焦点検出を終了させ、被写体の明るさ（測光値）を検出する（ステップＳ１９ａ）。検出された測光値と露出モード（Ｐ，Ｓ，Ａ，Ｍモードのいずれか）とによって、目標絞り値、制御ＴＶ値を決定する（ステップＳ１９ｂ）。
【００９３】
次に、スイッチ１２４ｂがＯＮかどうかを検出し（ステップＳ２０）、スイッチ１２４ｂがまだＯＦＦであれば、次にスイッチ１２４ａがＯＦＦしていないかを検出する（ステップＳ２１）。もし、スイッチ１２４ａがＯＦＦなら、撮影者は、レリーズボタン１２４の押し込みを中止し、撮影動作を中断したと考えられる。このときには、レンズユニット２に動作休止命令L＿spdを送信する（ステップＳ３３）。これにより、レンズユニット２は動作休止処理の後、動作休止状態に入る。また、ボディユニット１も動作休止処理を行い（ステップＳ３４）、動作休止状態に入る（ステップＳ３５）。その後、ステップＳ２へ戻り、再びスイッチ１２４ａがＯＮになるまで待機する。
【００９４】
また、ステップＳ２０において、スイッチ１２４ｂがオンになるよう操作された時は、レンズユニット２に対してMove＿APAV命令を送信し、絞り部２０６における絞り量が目標絞り値となるように制御する（ステップＳ２２）。
【００９５】
ボディユニット１は、レンズユニット２への命令送信後、ミラーアップ制御を行う（ステップＳ２３）。ミラーアップ制御が完了すれば、シャッター制御を実行させ、露光動作を行う（ステップＳ２４）。次に、レンズユニット２へ、絞り部２０６を開放位置へリセット駆動させる命令AP＿Rstを行う（ステップＳ２５）。次に、ボディユニット１は、ミラーダウン制御とシャッターを初期位置に戻す制御（リセットシャッターチャージ）を行う（ステップＳ２６）と同時に、撮像素子１０６からの画像データを読み出す（ステップＳ２７）。次に、撮像素子１０６から読み出した画像データの画像処理を行う（ステップＳ２８）。次に、画像処理された画像データを、表示部１０５に表示させる（ステップＳ２９）。次に、メモリーユニット１０２を介して、画像データを情報媒体に記録させる（ステップＳ３０）。
【００９６】
また、ボディユニット１は、レンズユニット２へ命令AP＿Rstを送信した後、レンズユニット２からリセット動作完了の情報AP＿RstFinが送信されるまで待機する（ステップＳ３１）。
【００９７】
情報AP＿RstFinを受信すれば、次にレリーズボタン１２４が半押し操作され、スイッチ１２４ａがオンにされているかどうかを判断する（ステップＳ３２）。
【００９８】
もし、スイッチ１２４ａがオンにされれば、再度焦点検出動作（ステップＳ１５）から、図４Ａ〜図４Ｅのシーケンスを繰り返す。また、スイッチ１２４ａがオフの場合には、撮影者がレリーズボタン１２４から手を離し、撮影動作を終了したと考えられる。この場合は、レンズユニット２に動作休止命令L＿spdを送信する（ステップＳ３３）。これにより、レンズユニット２は動作休止処理の後、動作休止状態に入る。また、ボディユニット１も動作休止処理を行い（ステップＳ３４）、動作休止状態に入る（ステップＳ３５）。その後、ステップＳ２へ戻り、再びスイッチ１２４ａがＯＮになるまで待機する。
【００９９】
〔絞り値の設定〕
次に、一眼レフカメラシステムにおける絞り値の設定方法について説明する。本実施の形態の一眼レフカメラシステムにおける絞り値の設定方法には、大きく分けて２通りある。まず、図９Ａに示すように、レンズユニット２に絞りリング２０８などの絞り設定部材が搭載されている場合は、絞りリング２０８を回転操作することで、レンズユニット２側で絞り値の設定を行うことができる。また、絞りリングが搭載されていないレンズユニットがボディユニット１に装着されている場合は、ボディユニット１側で絞り値の設定を行うことができる。
【０１００】
次に、詳しい絞り設定方法について説明するが、図９Ａに示すように絞りリング２０８による絞り設定方法は周知であるため、説明は省略する。以下、ボディユニット１側で絞り値設定を行うことができる構成について説明する。
【０１０１】
図５は、ボディユニット１の側面図であり、撮影時に撮影者側を向く面（背面）を示している。ボディユニット１の背面には、表示部１０５、絞り設定部１２２、回転操作部１２３が配されている。なお、以下の説明では、ボディユニット１に、絞り設定部２０７及び絞りリング２０８が搭載されていないレンズユニット２が装着されていることを前提とする。
【０１０２】
絞り設定部１２２は、絞り設定モード（回転操作部１２３で絞り設定が可能なモード）に移行させることができる操作釦である。本実施の形態では、絞り設定部１２２を１回操作することで絞り設定モードに移行させることができ、もう１回操作することで絞り設定モードを解除することができる。ここで、絞り設定モードとは、ボディユニット１側で絞り値の設定を行なうことができるモードのことである。
【０１０３】
回転操作部１２３は、ボディユニット１の背面に配され、矢印Ｅ方向またはＦ方向へ回転操作を行うことができる。なお、回転操作部１２３は、一定間隔毎にクリック感を発生する構成にしてもよく、これにより操作フィーリングを向上させることができる。また、本実施の形態では、図５に示すように、絞り設定部１２２をボディユニット１の背面における左端近傍に配し、回転操作部１２３を右端近傍に配置したことにより、左手の指で絞り設定部１２２を操作し、右手の指で回転操作部１２３を回転操作することができる。このように配置したことにより、両手による良好な操作を行うことができる。ただし、絞り設定部１２２及び回転操作部１２３の位置はこれらに限定されない。また、本実施の形態では、絞り設定部１２２を操作する度に絞り設定モードの実行／解除を切り換える構成としているが、絞り設定部１２２を連続的に押している間のみ絞り値設定モードに移行させる構成としてもよい。
【０１０４】
図５において、まず、レンズユニット２がボディユニット１に装着されている場合、絞り値を設定する時には、絞り設定部１２２を操作して絞り設定モードへ移行させる。
【０１０５】
具体的には、絞り設定部１２２を押すことにより、表示部１０５には、図５に示すように絞りリング２０８を模した画像が表示される。その画像の中には、設定可能な絞り値１２５（絞りリング２０８に表記されている絞り値）が含まれている。また、絞り値１２５の近傍にはマーク１２４が表示され、現在設定されている絞り値が、マーク１２４に位置合わせされて表示されている。例えば図５は、現在の絞り値が「Ｆ４．０」であることが表示されている。なお、表示された画像において、「５０ｍｍ  Ｆ１．４」はレンズユニット２のレンズスペックである。
【０１０６】
絞り設定モードに入った後、回転操作部１２３を矢印ＥまたはＦ方向へ回転操作させることにより、表示部１０５に表示されている絞りリング２０８を模した画像が、回転操作部１２３の回転方向と同じ方向にスクロールされる。ここで、本実施の形態では、回転操作部１２３を矢印Ｅ方向へ回転させることで絞り値を上げることができ、矢印Ｆ方向へ回転させることで絞り値を下げることができる。すなわち、図５に示す矢印Ｆ方向と図９Ａに示す矢印Ｋ方向とを略一致させ、図５に示す矢印Ｅ方向と図９Ａに示す矢印Ｌ方向とを略一致させている。
【０１０７】
そして、表示されている絞り値の中から、所望の絞り値をマーク１２４に位置合わせすることで、ボディユニット１がレンズユニット２に絞り部２０６を駆動するよう命令を出す。レンズユニット２は、入力される命令により、絞り部２０６を駆動して所望の絞り値に設定する。
【０１０８】
このように、図５に示す矢印Ｆ方向と図９Ａに示す矢印Ｋ方向とを略一致させ、図５に示す矢印Ｅ方向と図９Ａに示す矢印Ｌ方向とを略一致させていることにより、絞りリング２０８と回転操作部１２３のどちらを使って操作しても、同じ感覚で操作することができるため、操作性が損なわれない。
【０１０９】
図６Ａ〜図６Ｃは、絞り値設定操作を行っている際に、表示部１０５に表示される画像の変移を示している。まず、図６Ａに示すように、最初「Ｆ４．０」に設定された状態から、回転操作部１２３を矢印Ｅ方向（図５参照）に２クリック分回転させると、絞り値の表示が矢印Ｇ方向へ２目盛り移動されて、図６Ｂに示すように「Ｆ２．８」に設定される。図６Ｂに示す状態から、回転操作部１２３を矢印Ｅ方向へ５クリック分回転させると、絞り値の表示が矢印Ｈ方向へ５目盛り移動されて、図６Ｃに示すように「Ａ」と表記された自動設定モードに設定される。
【０１１０】
また、回転操作部１２３を矢印Ｆ方向へ回転させると、表示部１０５に表示されている画像は、矢印ＧまたはＨの逆方向へスクロールされる。
【０１１１】
なお、図６Ｃに示す状態において、さらに回転操作部１２３を矢印Ｅ方向へ回転させても、表示部１０５に表示されている画像はスクロールしないように構成されている。
【０１１２】
このように、表示部１０５に、絞りリング２０８を表す画像を表示させ、表示された画像のスクロール方向（矢印ＧまたはＨ）と回転操作部１２３の回転操作方向（矢印ＥまたはＦ方向）とを一致させることにより、ボディユニット１に絞り値設定部が搭載されていないレンズユニットが装着されても、絞りリング２０８を回転操作するのと同じ感覚で、絞り値の設定が可能となる。
【０１１３】
図７は、絞り設定部が搭載されていないレンズユニットが装着された時の、ボディ内の絞り値設定動作を示すフローチャートである。
【０１１４】
図７において、まずカメラシステムが動作休止状態の時に（ステップＳ５１）、絞り設定部１２２が操作されることにより（ステップＳ５２）、前回設定されていた設定絞り値を表示する（ステップＳ５３）。
【０１１５】
次に、回転操作部１２３が右に１クリック分回転操作されると（ステップＳ５４）、設定絞り値を０．５段暗くするよう、レンズユニット２の絞り部２０６を制御する（ステップＳ５６）。また、表示部１０５における絞り値表示１２５を右方向へスクロールさせ、新しく設定された絞り値をマーク１２４に位置合わせして表示させる（ステップＳ５７）。
【０１１６】
また、回転操作部１２３が左に１クリック分回転操作されると（ステップＳ５５）、設定絞り値を０．５段明るくよう、レンズユニット２の絞り部２０６を制御する（ステップＳ５８）。また、表示部１０５における絞り値表示１２５を左方向へスクロールさせ、新しく設定された絞り値をマーク１２４に位置合わせして表示させる（ステップＳ５９）。
【０１１７】
なお、図７におけるフローチャートでは図示を省略したが、設定可能な絞り値は、開放絞り値（絞り値＝１．４）から最小絞り値（絞り値＝２２）までで制限している。また、回転操作部１２３は、開放絞り値を指している状態から、さらに左方向に１クリック分回転された時に、Ａ−ポジション（自動設定モード）に設定することができる。
【０１１８】
以上のように本実施の形態によれば、ボディユニット１に絞り値を設定可能な回転操作部１２３を備えることにより、絞りリングが搭載されていないレンズユニットがボディユニット１に装着されている場合でも絞り値の設定を行うことができる。
【０１１９】
また、ボディユニット１において絞り値の設定を行う際、絞りリングを模した画像を表示部１０５へ表示させ、回転操作部１２３の操作に連動して表示をスクロールさせる構成とするとともに、そのスクロール方向を回転操作部１２３の操作方向と略一致させることにより、操作性を向上させることができる。
【０１２０】
また、ボディユニット１に第１のレンズユニット（絞りリング２０８が搭載されているレンズユニット）が装着された場合、絞り設定時、絞りリング２０８の操作を有効にし回転操作部１２３の操作を無効にすることにより、絞りリング２０８における設定値と絞り部２０６における設定値とが常に対応しているため、使用者に対して操作上の誤解を与えないという効果がある。
【０１２１】
なお、本実施の形態では、絞り値設定の際、ボディユニット１に第１のレンズユニットが装着された場合は、絞りリング２０８の操作を有効にし回転操作部１２３の操作を無効にする構成としたが、絞りリング２０８と回転操作部１２３の両方を有効にしてもよい。このように構成することで、使用者は絞りリング２０８と回転操作部１２３のうち、操作しやすい方の操作手段を選択して操作することができる。このように構成する場合は、絞りリング２０８と回転操作部１２３のうち、最後に操作した方の操作部を、次回操作時に優先して操作することができるように設定することで、さらに操作性が向上する。
【０１２２】
また、絞りリング２０８の操作方向（回転方向）と、回転操作部１２３の操作方向（回転方向）とを略一致させているため、絞りリング２０８と回転操作部１２３のどちらを使って操作しても、同じ感覚で操作することができるため、操作性は損なわれないという効果がある。また、第１のレンズユニットから第２のレンズユニット（絞りリング非搭載のレンズユニット）に交換しても、回転操作部１２３の操作方向は同じであるため、操作性は損なわれない。
【０１２３】
また、表示部１０５に表示される絞り値の情報（絞りデータ）は、図５などに示すような画像表示に限らない。例えば、表示部１０５にスルー画像を表示させている状態で、オンスクリーンディスプレイ機能を使って、絞り値を示す数値をスルー画像に重畳表示させてもよい。このように表示させる場合は、回転操作部１２３の操作に伴って、表示部１０５に表示されている数値を順次変更させるように構成すればよい。このような構成にすることで、回転操作部１２３の操作に連動してスルー画像の明るさも変わるので、絞り値を確認しながら、撮影しようとしている画像の明るさを目視にて確認することができる。
【産業上の利用可能性】
【０１２４】
本発明は、レンズユニット内に操作性の良い絞り値設定部のあるレンズを使用可能とするものであり、加えて、レンズユニット内に操作部がないレンズにおいても、視覚的に絞り値の設定を容易にせしめるものであるため、一眼レフカメラシステムに適用可能である。
【図面の簡単な説明】
【０１２５】
【図１】一眼レフカメラシステムの全体構成を示す模式図
【図２】一眼レフカメラシステムの構成を示すブロック図
【図３】一眼レフカメラシステムの撮影動作の流れを表したタイムチャート
【図４Ａ】一眼レフカメラシステムの撮影時のシーケンスを示すフローチャート
【図４Ｂ】一眼レフカメラシステムの撮影時のシーケンスを示すフローチャート
【図４Ｃ】一眼レフカメラシステムの撮影時のシーケンスを示すフローチャート
【図４Ｄ】一眼レフカメラシステムの撮影時のシーケンスを示すフローチャート
【図４Ｅ】一眼レフカメラシステムの撮影時のシーケンスを示すフローチャート
【図５】一眼レフカメラシステムにおける表示部が配された面を示す側面図
【図６Ａ】ボディユニット側で絞り値設定を行った時の表示部の表示内容を示す模式図
【図６Ｂ】ボディユニット側で絞り値設定を行った時の表示部の表示内容を示す模式図
【図６Ｃ】ボディユニット側で絞り値設定を行った時の表示部の表示内容を示す模式図
【図７】ボディユニットにおいて絞り値設定を行う際の流れを示すフローチャート
【図８】シャッタースピード設定部の外観を示す平面図
【図９Ａ】絞りリングが備えられたレンズユニットの外観を示す斜視図
【図９Ｂ】絞りリングに表記された絞り値を示す模式図
【符号の説明】
【０１２６】
１  ボディユニット
１００  シーケンス制御部
１０１  信号処理部
１０５  表示部
１２２  絞り設定部
２  レンズユニット
２０４  絞り制御部
２０６  絞り部
２０７  絞り設定部
２０８  絞りリング
【図１】
2007041540.tif 000005
【図２】
2007041540.tif 000006
【図３】
2007041540.tif 000007
【図４Ａ】
2007041540.tif 000008
【図４Ｂ】
2007041540.tif 000009
【図４Ｃ】
2007041540.tif 000010
【図４Ｄ】
2007041540.tif 000011
【図４Ｅ】
2007041540.tif 000012
【図５】
2007041540.tif 000013
【図６Ａ】
2007041540.tif 000014
【図６Ｂ】
2007041540.tif 000015
【図６Ｃ】
2007041540.tif 000016
【図７】
2007041540.tif 000017
【図８】
2007041540.tif 000018
【図９Ａ】
2007041540.tif 000019
【図９Ｂ】
2007041540.tif 000020